(57)【要約】【課題】尿センサーを所望の位置に保持できるとともに、尿センサーを所望の位置に取り付けやすく、且つ該センサーを取り外しやすい吸収性物品を提供すること。【解決手段】本発明の吸収性物品は、肌対向面側に配される表面シートと、非肌対向面側に配される裏面シートと、両シート間に配される吸収体とを備える。吸収性物品は、肌に最も近い側に位置するシートと吸収体との間に、尿センサーの保持領域を有する。肌に最も近い側に位置するシートが表面シートであり、尿センサーを出し入れ可能な開口部が前記表面シートに形成されていることも好適である。また、肌に最も近い側に位置するシートが、表面シートの肌対向面側に配された肌側保持シートであり、前記表面シートと肌側保持シートとの間に、尿センサーの保持領域を有することも好適である。【選択図】図１
2020168213.tif 000002
【特許請求の範囲】
【請求項１】
肌対向面側に配される表面シートと、非肌対向面側に配される裏面シートと、両シート間に配される吸収体とを備え、
肌に最も近い側に位置するシートと前記吸収体との間に、尿センサーを保持する保持領域を有する、吸収性物品。
【請求項２】
前記肌に最も近い側に位置するシートが前記表面シートであり、
前記尿センサーを出し入れするための開口部が前記表面シートに形成されている、請求項１に記載の吸収性物品。
【請求項３】
前記表面シートと前記吸収体との間に非肌側保持シートを備え、
前記表面シートと前記非肌側保持シートとの間に、前記保持領域を有する、請求項２に記載の吸収性物品。
【請求項４】
前記表面シートと、前記非肌側保持シートとを接合する一対の接合部列が形成されており、
前記接合部列は、前記吸収性物品の幅方向中央部から距離を隔てて位置し、且つ前記吸収性物品の長手方向に延びており、
前記接合部列間の領域によって、前記保持領域が形成されている、請求項３に記載の吸収性物品。
【請求項５】
前記肌に最も近い側に位置するシートが、前記表面シートの肌対向面側に配された肌側保持シートであり、
前記表面シートと前記肌側保持シートとの間に、前記保持領域を有する、請求項１に記載の吸収性物品。
【請求項６】
前記表面シートと、前記肌側保持シートとを接合する一対の接合部列が形成されており、
前記接合部列は、前記吸収性物品の幅方向中央部から距離を隔てて位置し、且つ前記吸収性物品の長手方向に延びており、
前記接合部列間の領域によって前記保持領域が形成されている、請求項５に記載の吸収性物品。
【請求項７】
前記肌に最も近い側に位置するシートに、前記吸収性物品の厚み方向に貫通する開孔又はスリットが形成されており、
前記開孔又は前記スリットが、前記保持領域と厚み方向において重なる領域に位置している、請求項１ないし６のいずれか一項記載の吸収性物品。
【請求項８】
前記吸収体は、該吸収体が前記裏面シート側に向けて凹陥した凹陥部を有しており、
前記凹陥部は、前記保持領域と厚み方向において重なる領域に位置している、請求項１ないし７のいずれか一項に記載の吸収性物品。
【発明の詳細な説明】
【技術分野】
【０００１】
本発明は、吸収性物品に関する。
【背景技術】
【０００２】
近年、排泄物の検知センサーを用いて着用者の排泄の有無の検知や、排泄物の成分等を分析するおむつが提案されている。例えば特許文献１には、液体を透過する内面シートと、外面シートと、これらのシートとの間に配置される吸収体と、排泄物を検知する排泄検知素子とを備えるおむつが開示されている。このおむつは、排泄物を流すための凹部を前記内面シート側に有しており、排泄検知素子が該凹部に配置されることも同文献に開示されている。
【先行技術文献】
【特許文献】
【０００３】
【特許文献１】特開２０１８−６８３２１号公報
【発明の概要】
【発明が解決しようとする課題】
【０００４】
ところで、尿センサーなどの排泄検知センサーは、その目的に応じて、寸法や適切な配置が異なる。これらの尿センサーを特許文献１に記載のおむつに適用した場合、該センサーを適切な位置に取り付けることが困難となり、排泄の検知や排泄物の成分分析がうまく行えないことがあった。また、尿センサーは一般に高価であり、再利用することが通常の使用方法であるところ、特許文献１に記載のおむつではセンサーの取り付け及び取り外しが困難であり、センサーの再利用のための手間やコストが増大してしまう。
【０００５】
したがって、本発明は、前述した従来技術が有する欠点を解消し得る吸収性物品に関する。
【課題を解決するための手段】
【０００６】
本発明は、肌対向面側に配される表面シートと、非肌対向面側に配される裏面シートと、両シート間に配される吸収体とを備え、
肌に最も近い側に位置するシートと前記吸収体との間に、尿センサーを保持する保持領域を有する、吸収性物品を提供するものである。
【発明の効果】
【０００７】
本発明によれば、尿センサーを所望の位置に保持できるとともに、尿センサーを所望の位置に取り付けやすく、且つ該センサーを取り外しやすい吸収性物品が提供される。
【図面の簡単な説明】
【０００８】
【図１】図１（ａ）は、本発明の吸収性物品の一実施形態を示す平面図であり、図１（ｂ）は、図１（ａ）に示す吸収性物品のＩ−Ｉ線での断面図である。
【図２】図２（ａ）ないし（ｅ）は、図１に示す吸収性物品に形成された開口部の形態を示す模式図である。
【図３】図３（ａ）は、本発明の吸収性物品の別の実施形態を示す平面図であり、図３（ｂ）は、図３（ａ）に示す吸収性物品のＩＩ−ＩＩ線での断面図である。
【図４】図４（ａ）ないし（ｃ）は、接合部列の形態を示す模式図である。
【図５】図５（ａ）は、本発明の吸収性物品の更に別の実施形態を示す平面図であり、図５（ｂ）は、図５（ａ）に示す吸収性物品のＩＩＩ−ＩＩＩ線での断面図である。
【図６】図６（ａ）ないし（ｃ）は、本発明の吸収性物品における凹陥部の形態を示す断面図である。
【図７】図７（ａ）は、本発明の吸収性物品の更に別の実施形態を示す平面図であり、図７（ｂ）は、図７（ａ）に示す吸収性物品のＩＶ−ＩＶ線での断面図である。
【発明を実施するための形態】
【０００９】
以下本発明を、その好ましい実施形態に基づき図面を参照しながら説明する。図１には、本発明の吸収性物品の一実施形態である尿取りパッドが示されている。図１に示す吸収性物品１は、肌対向面側に配される表面シート２と、非肌対向面側に配される裏面シート３と、表面シート２と裏面シート３との間に配される液保持性の吸収体４とを備える。吸収性物品１は、裏面シート３の非肌対向面側に配され、吸収性物品１の外面を形成する外装体を備えていてもよい。
【００１０】
本明細書において、「肌対向面」は、吸収性物品又はその構成部材（例えば吸収体４）に着目したときに、吸収性物品の着用時に着用者の肌に向けられる面であり、「非肌対向面」は、吸収性物品の着用時に着用者の肌とは反対側に向けられる面である。つまり、肌対向面は、着用者の肌に相対的に近い側の面であり、非肌対向面は、着用者の肌から相対的に遠い側の面である。「着用時」は、吸収性物品の適正な着用位置が維持された状態を指す。
【００１１】
図１（ａ）に示すように、吸収性物品１は、着用者の前後方向に相当する方向であって、着用者の腹側から股間部を介して背側に延びる長手方向Ｘとこれに直交する幅方向Ｙとを有している。また吸収性物品１は、幅方向Ｙの中央部を通り且つ長手方向Ｘに延びる長手方向中央線に対して左右対称の形状を有している。また図１（ｂ）に示すように、吸収性物品１は厚み方向Ｚを有する。
【００１２】
吸収性物品１は、その長手方向Ｘの中央部に、着用時に着用者の股間部に配される股下域１Ｃを有し、該股下域１Ｃを挟んで前方域１Ａ及び後方域１Ｂを有している。股下域１Ｃは、吸収性物品１の着用時に着用者の排泄部に対向配置される排泄部対向部を有している。前方域１Ａは、吸収性物品１の着用時に股下域１Ｃよりも着用者の腹側に配され、後方域１Ｂは、着用時に股下域１Ｃよりも着用者の背側に配される。前方域１Ａ、後方域１Ｂ及び股下域１Ｃはそれぞれ、吸収性物品１をその長手方向Ｘにおける全長を三分して３つの領域に区分したときの各領域である。本実施形態の尿取りパッド１は、股下域１Ｃに、幅方向Ｙの内方に向けて括れた部分を有している。前方域１Ａ及び後方域１Ｂは、該括れた部分よりも広い幅を有している。また、後方域１Ｂは、前方域１Ａよりも広い幅を有している。
【００１３】
図１（ａ）に示すように、表面シート２は、吸収体４の肌対向面の全域を被覆している。また、吸収体４の非肌対向面側に配された裏面シート３は、吸収体４の非肌対向面の全域を被覆している。表面シート２及び裏面シート３は、更に吸収体４の長手方向Ｘに沿う両側縁それぞれから幅方向Ｙの外方に延出する延出部をそれぞれ有している。表面シート２の延出部において、後述する防漏カフ７と公知の接合手段によって接合されている。公知の接合手段としては、例えば、接着剤、ヒートシール、超音波シール、高周波シール等が挙げられる。
【００１４】
図１（ａ）及び（ｂ）に示す吸収体４は、吸収性物品１の主たる吸液部位であり、平面視において吸収性物品１の形状と略相似の形状を有している。吸収体４は、図１（ｂ）に示すように、尿等の体液を吸収保持可能な吸収性コア４１と、該吸収性コア４１の肌対向面及び非肌対向面に配されたコアラップシート４２とを有している。本実施形態では、吸収性コア４１が二枚のコアラップシート４２，４２の間に配された形態となっているが、この形態に限られず、吸収性コア４１の各面を一枚のコアラップシート４２で被覆していてもよく、また、吸収性コア４１はコアラップシートで被覆されていなくてもよい。このような吸収体４は、例えば、目的とする吸収性物品１の平面視形状と略相似の形状を有する二枚のコアラップシート４２，４２の間に、目的とする吸収性物品１の平面視形状と略相似の形状を有する吸収性コア４１を配したり、あるいは、一枚のコアラップシート４２で吸収性コア４１を被覆したあと、目的とする吸収性物品１の平面視形状と略相似の形状となるように厚み方向に切断することで得ることができる。
【００１５】
吸収性物品１の肌対向面における長手方向Ｘに沿う両側部には、液抵抗性又は撥水性で且つ通気性のシートから構成された一対の防漏カフ７，７が設けられている。各防漏カフ７の自由端部の近傍には防漏カフ形成用弾性部材７１が長手方向Ｘに伸長状態で一本以上配されている。防漏カフ７は、伸長状態で配された弾性部材７１が収縮することによって少なくとも股下域１Ｃで起立し、それによって尿等の排泄物の幅方向Ｙの外方への流出を阻止する。
【００１６】
吸収性物品１の厚み方向について着目すると、吸収性物品１は、肌に最も近い側に位置するシートと、吸収体４との間に尿センサーＵを保持可能になっている。図１（ａ）に示す実施形態では、表面シート２が、肌に最も近い側に位置するシートを構成している。尿センサーＵの保持は、例えば肌に最も近い側に位置するシートと吸収体４との間の接合されていない領域を保持領域として、該領域に尿センサーＵを挟持したり、あるいは後述するように、吸収性物品を構成する部材によって尿センサーＵを保持可能な領域を形成して該領域に該センサーを配置したりする態様を包含する。本実施形態では、図１（ｂ）に示すように、表面シート２と、吸収体４との間の接合されていない領域に尿センサーＵを挟持できるようになっている。尿の検知及び分析を精度よく行う観点から、尿センサーＵは、股下域１Ｃに少なくとも配されることが好ましい。
【００１７】
尿センサーＵは、本発明の吸収性物品に保持可能である限り、尿の検知及び分析の対象、並びに配置位置及び寸法は特に限定されない。尿センサーＵの検知対象としては、例えば尿の排泄の有無及び範囲等が挙げられる。また、尿センサーＵの分析対象としては、尿中の成分が挙げられ、具体的には尿中の組成、含有成分及びその濃度が挙げられる。尿センサーＵは、これらのうち一つ又は複数を検知及び分析するものであってよい。また、尿センサーＵは、一個のセンサーを用いて一種以上の対象を検知及び分析してもよく、複数個のセンサーを用いて複数の対象を検知及び分析してもよい。分析対象となる尿中の組成及び含有成分としては、例えば水分、ｐＨ（水素イオン）、尿糖、尿タンパク、尿潜血、尿酸、クレアチン、クレアチニン、各種ホルモン類等が挙げられる。尿センサーＵは、無線又は有線で他の機器と接続されて、測定データを他の機器へ送受信する機能を有していてもよい。
【００１８】
尿センサーＵの寸法としては、その長さが好ましくは３０ｍｍ以上、更に好ましくは５０ｍｍ以上であり、また、好ましくは１５０ｍｍ以下、更に好ましくは１００ｍｍ以下である。尿センサーＵの幅は、好ましくは１０ｍｍ以上、更に好ましくは２０ｍｍ以上であり、また、好ましくは５０ｍｍ以下、更に好ましくは４０ｍｍ以下である。尿センサーＵの厚みは、好ましくは２ｍｍ以上であり、また、好ましくは１５ｍｍ以下、更に好ましくは１０ｍｍ以下である。尿センサーＵの平面視の形状は、シート状、板状、円柱状、角柱状等であり得る。
【００１９】
図１（ａ）に示すように、肌に最も近い側に位置するシートが表面シート２である吸収性物品１は、尿センサーＵを出し入れするための開口部１Ｐが表面シートに形成されていることが好ましい。本実施形態における開口部１Ｐは、尿センサーＵを股下域１Ｃに配置可能な位置であって、且つ表面シート２を厚み方向Ｚに貫通するように形成されている。これによって、開口部１Ｐを介して、表面シート２と吸収体４との間に尿センサーＵを取り付けて保持させたり、取り外したりできるようになっている。すなわち、開口部１Ｐは、尿センサーＵを出し入れする出入り口となっている。開口部１Ｐは、同図に示すような切れ込みの態様であってもよく、平面視において開口部が視認可能な態様であってもよい。詳細には、図２（ａ）及び（ｂ）に示すように、開口部１Ｐは、例えば一直線状、Ｖ字状の切れ込みや、図２（ｃ）ないし（ｅ）に示すように、円形状、三角形状、四角形状、半円状、半楕円状等の幾何学形状を有する開口とすることができる。その他の態様としては、例えば半円状、半楕円状の切れ込みとすることができる。このような構成を有していることによって、吸収性物品１への尿センサーＵの取り付け及び取り外しを容易に行うことができる。
【００２０】
開口部１Ｐが一直線状の切れ込みである場合、該開口部１Ｐは、前方域１Ａにおける吸収性物品の長手方向の端部と一致していてもよく、一致していなくてもよい。開口部１Ｐと前方域１Ａにおける吸収性物品の長手方向の端部とが一致していない場合、開口部１Ｐは、前方域１Ａにおける吸収性物品の長手方向の端部と開口部１Ｐとの間の距離Ｄ１（図１参照）が、好ましくは０ｍｍ超５ｍｍ未満となる位置に形成される。これに代えて、開口部１Ｐは、距離Ｄ１が好ましくは０ｍｍ超、より好ましくは５ｍｍ以上、更に好ましくは１０ｍｍ以上となる位置に形成されていてもよい。
【００２１】
開口部１Ｐの幅方向Ｙの長さＷ１（図１参照）は、尿センサーＵを出し入れ可能であれば特に制限されないが、好ましくは２０ｍｍ以上、更に好ましくは３０ｍｍ以上、また、好ましくは６０ｍｍ以下、更に好ましくは５０ｍｍ以下である。開口部１Ｐの幅方向Ｙの長さＷ１は、幅方向Ｙに沿う最大の長さとする。開口部１Ｐの幅方向Ｙにおける配置は、尿センサーＵによる尿の検知及び分析を精度よく行う観点から、好ましくは吸収性物品１の幅方向中央域に形成される。
【００２２】
本発明の吸収性物品１によれば、尿センサーＵを排泄部対向部などの適切な位置に取り付けやすいので、尿センサーＵを配置する際のずれが生じにくく、尿の検知及び分析を首尾よく行うことができる。また、使用後に尿センサーＵを吸収性物品から容易に取り外すことができるので、取り外しの手間やコストが低減される。特に、本実施形態によれば、肌に最も近い側に位置するシートに開口部が形成されていることによって、尿センサーＵの取り付け及び取り外しが一層容易となる利点がある。
【００２３】
図３（ａ）及び（ｂ）には、肌に最も近い側に位置するシートが表面シート２である場合における別の実施形態が示されている。図３（ａ）に示すように、吸収性物品１は、表面シート２が肌に最も近い側に位置するシートとなっており、表面シート２の非肌対向面側に非肌側保持シート８ａが配されている。つまり、表面シート２と、表面シート２及び吸収体４の間に配された非肌側保持シート８ａとの間に尿センサーの保持領域が形成され、尿センサーＵを保持可能になっている。同図に示す非肌側保持シート８ａは、平面視で矩形状のシートであり、吸収性物品１の長手方向Ｘと非肌側保持シート８ａの長手方向とを一致させて、吸収性物品１の幅方向Ｙの中央域且つ長手方向Ｘの少なくとも股下域１Ｃに配されている。表面シート２には、吸収性物品１の厚み方向において非肌側保持シート８ａ又はその近傍に開口部１Ｐが形成されており、好ましくは非肌側保持シート８ａと重なる位置に開口部１Ｐが形成されている。この開口部１Ｐを介して尿センサーＵを出し入れ可能になっている。表面シート２における開口部１Ｐの近傍と非肌側保持シート８ａとは、尿センサーＵを出し入れ可能となるような幅が形成される位置で互いに接合されていることが、尿センサーＵの取り付け及び取り外しを首尾よく行える点で好ましい。表面シート２と非肌側保持シート８ａとの接合は、例えば後述する接合部列Ｌ１によって行うことができる。また、該接合部列Ｌ１間の幅方向の長さを適宜調整することによって、尿センサーＵを出し入れ可能とすることができる。
【００２４】
非肌側保持シート８ａの配置形態としては、表面シート２と平坦状の非肌側保持シート８ａとが積層された状態で接合されて、表面シート２と非肌側保持シート８ａとの間に尿センサーＵを挟持してもよく、あるいは、図３（ｂ）に示すように、肌側保持シート８ａの幅方向両端部が表面シート２側に折り曲げられた状態で表面シート２の非肌対向面に接合されて、後述する空間を形成してもよい。いずれの場合であっても、例えば後述する接合部列を形成して、容易に接合することができる。
【００２５】
これらのうち、図３（ｂ）に示すように、非肌側保持シート８ａの幅方向両端部が表面シート２側に折り曲げられた状態で表面シート２の非肌対向面に接合されることによって、表面シート２と非肌側保持シート８ａとの間に形成されたセンサー保持部１Ｓに、尿センサーＵが保持されていることが好ましい。詳細には、非肌側保持シート８ａの幅方向両端部における表面シート２側に折り曲げられている部分が厚み方向Ｚに拡がるように変形することによって、センサー保持部１Ｓが表面シート２と非肌側保持シート８ａとで画成された空間として形成され、該空間が尿センサーＵの保持領域となる。このような構成を有していることによって、尿センサーＵを保持可能な空間が広く形成されやすくなるので、尿センサーＵの取り付け及び取り外しが更に容易になる。これに加えて、尿センサーＵの取り付け時や、及び尿センサーＵを取り付けた吸収性物品１を用いるときに、尿センサーＵと厚み方向Ｚに重なる領域に位置する吸収体４の損傷などの不具合を低減させることができ、吸収性物品が有する排泄物の吸収性能を損ないにくくすることができる。また、尿センサーＵが所定の位置に保持された状態を維持することができるので、尿センサーＵの尿の検知分析機能を十分に発揮させることができる。
【００２６】
非肌側保持シート８ａの長手方向の長さＤ２（図３（ａ）参照）は、好ましくは３０ｍｍ以上、更に好ましくは５０ｍｍ以上であり、また、好ましくは１５０ｍｍ以下、更に好ましくは１００ｍｍ以下である。また、非肌側保持シート８ａの幅方向の長さＷ２（図３（ａ）参照）は、好ましくは４０ｍｍ以上、更に好ましくは５０ｍｍ以上であり、また、好ましくは１００ｍｍ以下、更に好ましくは９０ｍｍ以下である。前方域１Ａにおける吸収性物品１の長手方向端部と非肌側保持シート８ａの長手方向端部との間の距離Ｄ３（図３（ａ）参照）は、好ましくは１００ｍｍ以上、更に好ましくは１２０ｍｍ以上、また、好ましくは２００ｍｍ以下、更に好ましくは１８０ｍｍ以下である。
【００２７】
図３（ａ）に示すように、吸収性物品１には、表面シート２と非肌側保持シート８ａとを接合する一対の接合部列Ｌ１，Ｌ１が形成されていることが好ましい。同図に示す接合部列Ｌ１，Ｌ１のうち少なくとも一方は、吸収性物品１の幅方向中央部から距離を隔てて位置しており、吸収性物品１の長手方向Ｘにそれぞれ延びている。一方の接合部列Ｌ１から吸収性物品１の幅方向中央部までの幅方向における距離と、一方の接合部列Ｌ１から吸収性物品１の幅方向中央部までの幅方向における距離とはそれぞれ同一であってもよく、異なっていてもよい。尿の検知及び分析を精度よく行う観点から、接合部列Ｌ１，Ｌ１はともに、吸収性物品１の幅方向中央部から距離を隔てて位置し、且つ吸収性物品１の長手方向Ｘに延びる中心線に対して対称に配置されていることが更に好ましい。各接合部列Ｌ１，Ｌ１間の領域は、表面シート２及び非肌側保持シート８ａとともに、尿センサーＵを保持可能な領域となっている。なお、表面シート２と非肌側保持シート８ａとの接合は、接合部列Ｌ１以外の一箇所以上の部位で行われていてもよい。
【００２８】
図３（ａ）に示す吸収性物品では、各接合部列Ｌ１，Ｌ１の一端どうしを結ぶ曲線状の接合部が更に形成されており、全体としてＵ字状の接合部となっている。各接合部列Ｌ１，Ｌ１の他端又はその近傍には、開口部１Ｐが形成されている。これによって、吸収性物品１は、開口部１Ｐを介して尿センサーＵを出し入れ可能になっているとともに、各接合部列Ｌ１，Ｌ１と、表面シート２及び非肌側保持シート８ａとで画成された領域に尿センサーＵを保持可能になっている。このような構成を有していることによって、尿センサーＵの取り付け及び取り外しが容易になるとともに、着用者の動きに起因する尿センサーＵのずれを防ぐことができ、その結果、尿の検知及び分析を精度よく行うことができる。
【００２９】
接合部列Ｌ１の配置形態としては、例えば図３（ａ）及び図４（ａ）ないし（ｃ）に示す形態が挙げられる。詳細には、例えば図４（ａ）及び（ｂ）に示す形態では、各接合部列Ｌ１，Ｌ１は、長手方向Ｘに沿って延びるように平行に配されているか、又は各接合部列Ｌ１，Ｌ１の間の幅方向の長さが吸収性物品１の長手方向Ｘの一端から他端に向けて漸次減少するように長手方向Ｘに延びて配されている。同図に示す形態では、各接合部列Ｌ１，Ｌ１の両端には接合部が形成されておらず、その一端に開口部１Ｐが設けられている。また、図３（ａ）及び図４（ｃ）に示す形態では、各接合部列Ｌ１，Ｌ１が配され、且つ各接合部列Ｌ１，Ｌ１の一端どうしが曲線状に結ばれている。接合部列Ｌ１は、直線又は曲線であってもよい。あるいは、連続線でも破線等のような不連続線でもよく、例えば、不連続な多数の点エンボスのなす列や、接着剤等によって接合された列から構成されていてもよく、これらの組み合わせであってもよい。これに代えて、幅方向Ｙに延びるように配され、各接合部列Ｌ１，Ｌ１の一端どうしを直線状に結ぶ第２接合列が形成されていてもよい。また、接合部列に加えて、又はこれに代えて、他の接合手段が用いられてもよい。
【００３０】
接合部列Ｌ１の長手方向の長さＤ５（図３（ａ）及び図４（ａ）ないし（ｃ）参照）は、好ましくは１００ｍｍ以上、更に好ましくは１２０ｍｍ以上、また、好ましくは２００ｍｍ以下、更に好ましくは１８０ｍｍ以下である。また、開口部１Ｐが位置する側における各接合部列Ｌ１の間の幅方向の長さＷ５（図４（ａ）ないし（ｃ）参照）は、好ましくは２０ｍｍ以上、更に好ましくは３０ｍｍ以上、また、好ましくは６０ｍｍ以下、更に好ましくは５０ｍｍ以下である。
【００３１】
以上は、本発明の吸収性物品の一実施形態に関する説明であったところ、本発明の更に別の実施形態を、図５ないし図７を参照しながら説明する。以下に説明する実施形態については、上述した実施形態と異なる点を中心に説明し、特に説明しない点については上述した各実施形態についての説明が適宜適用される。また、図５（ａ）及び（ｂ）において、図１ないし図４と同じ部材には同じ符号を付してある。
【００３２】
図５（ａ）及び（ｂ）には、尿センサーＵを保持可能な構成を有する吸収性物品の別の実施形態が示されている。本実施形態では、上述した非肌側保持シート８ａに代えて、図５（ａ）に示すように、表面シート２の肌対向面側に肌側保持シート８ｂが配されており、肌側保持シート８ｂが肌に最も近い側に位置するシートとなっている。つまり、本実施形態では、肌に最も近い側に位置する肌側保持シート８ｂと表面シート２との間に、尿センサーＵを保持可能な保持領域が形成されている。肌側保持シート８ｂの配置形態は、表面シート２と平坦状の非肌側保持シート８ａとが積層された状態で接合されて、表面シート２と肌側保持シート８ｂとの間に尿センサーＵを挟持してもよく、あるいは、図５（ｂ）に示すように、肌側保持シート８ｂの幅方向両端部が表面シート２側に折り曲げられた状態で表面シート２の肌対向面に接合されて、後述する空間を形成してもよい。
【００３３】
これらのうち、上述した図５（ｂ）に示す形態によって、センサー保持部１Ｓが表面シート２と肌側保持シート８ｂとの間に空間として形成されていることが好ましい。詳細には、肌側保持シート８ｂの幅方向両端部における表面シート２側に折り曲げられている部分が厚み方向Ｚに拡がるように変形することによって、尿センサーＵを保持可能な領域であるセンサー保持部１Ｓが表面シート２と肌側保持シート８ｂとの間に空間として形成されている。このような構成であっても、尿センサーＵを所望の位置に取り付けやすく、且つ該センサーを取り外しやすいという本発明の効果は十分に奏される。特に、本実施形態によれば、センサー保持部１Ｓが吸収性物品１の肌対向面側に形成されているので、尿センサーＵの取り付け時や、及び尿センサーＵを取り付けた吸収性物品１を用いるときに、尿センサーＵと厚み方向Ｚに重なる領域に位置する吸収体４の損傷などの不具合を更に低減させることができ、その結果、吸収性物品が有する排泄物の吸収性能を一層損ないにくくすることができる。また、吸収性物品１の使用時においても、尿センサーＵが尿に接触しやすい位置に保持された状態を維持することができるので、尿センサーＵの尿の検知分析機能を一層効果的に発揮させることができる。
【００３４】
図５（ａ）に示すように、吸収性物品１には、表面シート２と肌側保持シート８ｂとを接合する一対の接合部列Ｌ１，Ｌ１が形成されていることが好ましい。同図に示す各接合部列Ｌ１，Ｌ１のうち少なくとも一方は、吸収性物品の幅方向中央部から距離を隔てて位置しており、吸収性物品１の長手方向Ｘにそれぞれ延びている。一方の接合部列Ｌ１から吸収性物品１の幅方向中央部までの幅方向における距離と、一方の接合部列Ｌ１から吸収性物品１の幅方向中央部までの幅方向における距離とはそれぞれ同一であってもよく、異なっていてもよい。尿の検知及び分析を精度よく行う観点から、接合部列Ｌ１，Ｌ１はともに、吸収性物品１の幅方向中央部から距離を隔てて位置し、且つ吸収性物品１の長手方向Ｘに延びる中心線に対して対称に配置されていることが更に好ましい。各接合部列Ｌ１，Ｌ１間の領域は、表面シート２及び肌側保持シート８ｂとともに、尿センサーＵを保持可能な領域となっている。
【００３５】
図５（ａ）に示す吸収性物品１は、各接合部列Ｌ１，Ｌ１の一端どうしを結ぶ曲線状の接合部が形成されており、全体としてＵ字状の接合部を形成している。各接合部列Ｌ１，Ｌ１の他端又はその近傍には、開口部１Ｐが形成されている。これによって、開口部１Ｐを介して尿センサーＵを出し入れ可能になっているとともに、各接合部列Ｌ１，Ｌ１と、表面シート２及び肌側保持シート８ｂとで画成された領域に尿センサーＵを保持可能になっている。このような構成を有していることによって、尿センサーＵの取り付け及び取り外しが容易になるとともに、着用者の動きに起因する尿センサーＵのずれを防ぐことができ、その結果、尿の検知及び分析を精度よく行うことができる。
【００３６】
本実施形態において、肌側保持シート８ｂの長手方向の長さ、幅方向の長さ、及び前方域１Ａにおける吸収性物品１の長手方向端部と肌側保持シート８ｂの長手方向端部との間の距離はそれぞれ、非肌側保持シート８ａにおける長さＤ２、長さＷ２及び距離Ｄ４と同様の寸法とすることができる。また、肌側保持シート８ｂ及び表面シートに形成された接合部列Ｌ１の形態は、図４に示す形態とすることができる。また、本実施形態において、接合部列Ｌ１の長手方向の長さ及び各接合部列Ｌ１の間の幅方向の長さはそれぞれ、長さＤ５及び長さＷ５と同様の寸法とすることができる。
【００３７】
次に、上述の各実施形態に共通して適用可能な事項について説明する。排泄された尿を尿センサーＵに当接させて、尿の検知及び分析を素早く且つ精度よく行う観点から、肌に最も近い側に位置するシートには、吸収性物品１の厚み方向Ｚに貫通する開孔又はスリットが形成されていることが好ましい。また、開孔又はスリットは、尿センサーＵを保持可能な領域と厚み方向において重なる領域に位置していることも好ましい。以下の説明では、開孔は、シートの自然状態で開口しているものを指し、スリットはシートの自然状態で実質的に開口していない貫通又は非貫通の切れ込みを指す。
【００３８】
例えば、図１ないし図３に示す実施形態では、肌に最も近い側に位置するシートである表面シート２に、開孔又はスリットが設けられていることが好ましい。開孔又はスリットは、尿センサーＵを保持可能な領域と厚み方向において重なる領域に設けられている。図１（ａ）及び（ｂ）に示す形態では、尿センサーＵを表面シート２と吸収体４との間に挟持可能な領域が尿センサーＵを保持可能な領域となる。また、図３（ａ）及び（ｂ）に示す形態では、表面シート２と非肌側保持シート８ａとの間に尿センサーＵを挟持可能な領域、又はセンサー保持部１Ｓが尿センサーＵを保持可能な領域となる。特に、図１（ａ）及び（ｂ）並びに図３（ａ）及び（ｂ）に示す形態では、尿の検知及び分析をより素早く且つ精度よく行う観点から、開孔又はスリットは、尿センサーＵを保持可能な領域と厚み方向において重なる領域にのみ位置していることが更に好ましい。
【００３９】
また、図５（ａ）に示す実施形態では、肌に最も近い側に位置するシートである肌側保持シート８ｂに、厚み方向に貫通する開孔又はスリットが設けられていることが好ましい。同図に示す実施形態では、表面シート２と肌側保持シート８ｂとの間に尿センサーＵを挟持可能な領域、又はセンサー保持部１Ｓが尿センサーＵを保持可能な領域となる。
【００４０】
尿センサーＵを出し入れしやすくするための空間を形成するとともに、尿センサーＵの装着時のずれを効果的に防止して、尿の検知及び分析を精度よく行う観点から、図６（ａ）ないし（ｃ）に示すように、吸収体４は、該吸収体４が裏面シート３側に向けて凹陥した凹陥部４Ｌを有していることが好ましい。凹陥部４Ｌは、その厚みが吸収体４における凹陥部４Ｌ以外の他の部位よりも相対的に薄くなっている部位であるか、又はその坪量が吸収体４における凹陥部４Ｌ以外の他の部位よりも相対的に低くなっている部位である。詳細には、凹陥部４Ｌは、図６（ａ）及び（ｂ）に示すように、プレス等によって吸収体の厚みを薄くしたり、吸収性コア４１の坪量を低くする等の構成によって、吸収性コア４１の厚み若しくは坪量が他の部位よりも相対的に低い部位であるか、又は図６（ｃ）に示すように、吸収体４を構成する吸収性コア４１が存在しない部位である。凹陥部４Ｌの凹陥の断面形状は特に限定されず、例えば断面視において直線状、曲線状又はこれらの組み合わせからなる稜線から形成することができる。
【００４１】
同様の観点から、凹陥部４Ｌは、尿センサーＵを保持可能な領域と厚み方向Ｚにおいて重なる領域に位置していることも好ましい。図６（ａ）に示す形態では、肌に最も近い側に位置するシートである表面シート２と吸収体４との間に尿センサーＵを保持可能な領域を有しており、該領域と、凹陥部４Ｌが形成された領域とが厚み方向Ｚにおいて重なっている。本形態では、凹陥部４Ｌが形成されていることによって、表面シート２と吸収体４との間には、尿センサーＵを保持可能な領域であるセンサー保持部１Ｓが形成されている。
【００４２】
また、図６（ｂ）及び（ｃ）に示す形態では、肌に最も近い側に位置するシートである表面シート２と吸収体４との間に非肌側保持シート８ａが配されており、非肌側保持シート８ａと凹陥部４Ｌとが厚み方向に重なる位置に配置されている。これによって、尿センサーＵを保持可能な領域であるセンサー保持部１Ｓが形成されている。本形態では、センサー保持部１Ｓと、凹陥部４Ｌが形成された領域とが厚み方向において重なっている。上述したいずれの形態であっても、凹陥部４Ｌは、吸収性物品１の幅方向Ｙの中央域且つ長手方向の股下域１Ｃに少なくとも設けられていることが好ましい。
【００４３】
図７（ａ）に示すように、吸収性コア４１は、長手方向Ｘに沿って延び、且つ厚み方向Ｚに貫通又は非貫通の吸収体開口部４Ｓを有していることが好ましい。吸収性コア４１に吸収体開口部４Ｓを備えることによって、吸収性物品１の着用時のフィット性を高めることができる。同図に示す吸収体開口部４Ｓは、吸収体４の幅方向Ｙ中央部から距離を隔てて一対形成されており、吸収体４の長手方向Ｘにそれぞれ延びている。同図に示すように、吸収体４が凹陥部４Ｌを有する場合、各吸収体開口部４Ｓは、凹陥部４Ｌの幅方向Ｙの外方に位置していることが好ましい。本実施形態における吸収体開口部４Ｓは、吸収体４の自然状態で開口した溝又は空洞であってもよく、これに代えて、吸収体４の自然状態では実質的に開口していない貫通又は非貫通の切れ込みであってもよい。図７（ｂ）に示す吸収体開口部４Ｓは、その幅方向Ｙの長さが、吸収体４の非肌対向面側から肌対向面側に向かうにつれて漸次減少した先細りの形状を有しているが、これに限られず、幅方向Ｙの長さが同一の形状となっていてもよい。
【００４４】
凹陥部４Ｌの幅方向Ｙにおける長さＷ９（図７（ａ）参照）は、好ましくは５ｍｍ以上、更に好ましくは２０ｍｍ以上であり、また、好ましくは５０ｍｍ以下、更に好ましくは４０ｍｍ以下である。また、凹陥部４Ｌの長手方向Ｘにおける長さＤ９（図７（ａ）参照）は、好ましくは５ｍｍ以上、更に好ましくは２０ｍｍ以上であり、またその上限は吸収体４の長手方向の全長以下であり、好ましくは５０ｍｍ以下、更に好ましくは４０ｍｍ以下である。
【００４５】
吸収体開口部４Ｓは、肌対向面側の開口幅が、好ましくは１．２ｍｍ以下、より好ましくは１．０ｍｍ以下、さらに好ましくは０．５ｍｍ以下である。また、開口幅の下限値は、吸収体開口部４Ｓが切り込みで形成されていれば実質的に０ｍｍであるが、０．０１ｍｍ以上であってもよい。また、幅方向Ｙにおいて隣り合う吸収体開口部４Ｓ，４Ｓどうしの間隔は、凹陥部４Ｌを有する場合には、凹陥部４Ｌの幅Ｗ９よりも大きいことが好ましく、更に各保持シート８ａ，８ｂを有する場合には各保持シート８ａ，８ｂの幅Ｗ２よりも大きいことが好ましい。詳細には、幅方向Ｙにおいて隣り合う吸収体開口部４Ｓ，４Ｓどうしの間隔は、好ましくは２０ｍｍ以上、より好ましくは４０ｍｍ以上、そして、好ましくは１００ｍｍ以下、より好ましくは７０ｍｍ以下である。吸収体開口部４Ｓ，４Ｓどうしの間隔は、幅方向中央部に最も近い位置における稜線から測定したものとする。
【００４６】
上述したいずれの形態であっても、吸収性物品１における開口部１Ｐの近傍には、尿センサーＵを設置する位置を判別するための判別部を備えていることが好ましい。判別部の態様としては、例えば、表面シート２又は各保持シート８ａ，８ｂの所定の位置に印刷を施したり、開口部１Ｐの近傍に凹凸形状を施したりして、視覚又は触覚により尿センサーＵを設置する位置を認識可能な態様が挙げられる。このような構成を有していることによって、尿センサーＵを所望の位置に取り付けることが容易になり、尿の検知及び分析の精度を高めることができる。
【００４７】
表面シート２、裏面シート３、吸収体４、非肌側保持シート８ａ及び肌側保持シート８ｂを構成する部材は、吸収性物品に用いられているものを特に制限なく用いることができる。例えば、表面シート２、及び非肌側保持シート８ａ及び肌側保持シート８ｂを形成するためのシートとしては、液透過性のものであればよく、例えば液透過性の各種の不織布や、凹凸賦形された不織布、開孔を有する不織布、開孔フィルム等を用いることができる。裏面シート３を形成するためのシートとしては、液難透過性のものであればよく、例えば樹脂フィルムや、樹脂フィルムと不織布等とのラミネート等を用いることができる。また、外装体や防漏カフ７を形成するためのシートとしては、例えば裏面シート３と同様のものをそれぞれ用いることができる。
【００４８】
吸収体４は、吸収性コア４１を構成する部材として、木材パルプ、親水化処理された合成繊維等の親水性繊維の集合体や、該集合体に吸水性ポリマーを保持させたものを用いることができる。コアラップシート４２は、液透過性のものを用いることができ、例えばティッシュペーパー等の薄紙、透水性の不織布、又は表面シート２と同様のものを用いることができる。
【００４９】
以上、本発明をその好ましい実施形態に基づき説明したが、本発明は前記実施形態に制限されない。本発明の吸収性物品は、尿取りパッドを例にとり説明したが、この形態に限られず、例えば吸収パッド、軽失禁パッド、展開型使い捨ておむつ、パンツ型使い捨ておむつ等の吸収性コアを具備する物品に適用可能である。
【００５０】
また、上述した各実施形態の吸収性物品は、単層の吸収性コアを有するものとして説明したが、これに限られず、複層の吸収性コアを有するものであってもよい。複層の吸収性コアとしては、例えば下層吸収性コアと、該下層吸収性コアの肌対向面側に配された上層吸収性コアとを有する形態が挙げられる。この場合、凹陥部は、例えば下層吸収性コア及び上層吸収性コアのうち少なくとも一方、好ましくは上層吸収性コアに形成することができる。
【符号の説明】
【００５１】
１  吸収性物品（尿取りパッド）
２  表面シート
３  裏面シート
４  吸収体
４Ｌ  凹陥部
８ａ  非肌側保持シート
８ｂ  肌側保持シート
Ｌ１  接合部列
Ｕ  尿センサー
Ｘ  長手方向
Ｙ  幅方向
Ｚ  厚み方向
【図１】
2020168213.tif 000003
【図２】
2020168213.tif 000004
【図３】
2020168213.tif 000005
【図４】
2020168213.tif 000006
【図５】
2020168213.tif 000007
【図６】
2020168213.tif 000008
【図７】
2020168213.tif 000009